(57)【要約】【課題】顧客がコンテンツを無制限に利用すること防止すること。【解決手段】本発明によるエンターテイメント提供装置１は、エンターテイメント端末６に対応づけられている注文をオーダ端末から収集する注文収集部２２と、エンターテイメント端末６を用いてコンテンツを表示する権利があるかないかを注文に基づいて判別した判別結果をエンターテイメント端末６に配信する権利配信部２５とを備えている。エンターテイメント端末６は、権利があることを判別結果が示すときに、コンテンツを表示可能であり、権利がないことを判別結果が示すときに、コンテンツを表示不可能である。このとき、エンターテイメント提供装置１は、その顧客がコンテンツを無制限に利用することを防止して、注文をした顧客のみにコンテンツをより確実に提供することができる。【選択図】図１
2004287597.tif 000002
【特許請求の範囲】
【請求項１】
エンターテイメント端末を識別する番号に対応づけられている注文をオーダ端末から収集する注文収集部と、
前記エンターテイメント端末を用いてコンテンツを利用する権利があるかないかを前記注文に基づいて判別した判別結果を前記エンターテイメント端末に配信する権利配信部とを具備し、
前記エンターテイメント端末は、
前記権利があることを前記判別結果が示すときに、前記コンテンツを利用可能であり、
前記権利がないことを前記判別結果が示すときに、前記コンテンツを利用不可能である
エンターテイメント提供装置。
【請求項２】
請求項１において、
前記注文は、前記エンターテイメント端末を用いて前記コンテンツを利用することの注文を含む
ことを特徴とするエンターテイメント提供装置。
【請求項３】
請求項２において、
前記注文に基づいて代金を算出して前記代金をレジに通知する精算部を更に具備する
ことを特徴とするエンターテイメント提供装置。
【請求項４】
請求項１において、
前記エンターテイメント端末により前記コンテンツが利用された利用量を前記エンターテイメント端末から収集する履歴収集部を更に具備し、
前記判別結果は、前記注文に基づいて算出される算出量より前記利用量が大きいときに、前記権利がないことを示す
ことを特徴とするエンターテイメント提供装置。
【請求項５】
請求項４において、
利用者識別子に対応づけて繰越分を記録する繰越データベースに前記コンテンツの閲覧者に提供される提供利用者識別子に対応づけて前記算出量から前記利用量を差し引いた提供繰越分を記録する繰越分保存部と、
前記繰越データベースから前記繰越分のうちの前記エンターテイメント端末から収集された収集利用者識別子に対応する収集繰越分を収集する繰越分収集部とを更に具備し、
前記判別結果は、前記算出量と前記収集繰越分との和より前記利用量が小さいときに、前記権利があることを示す
ことを特徴とするエンターテイメント提供装置。
【請求項６】
請求項５において、
前記繰越データベースは、公衆回線網に接続される利用条件保存サーバに配置され、
前記繰越分保存部は、前記公衆回線網を介して前記第１繰越分と前記第１利用者識別子とを前記利用条件保存サーバに配信して、前記第１繰越分を前記第１利用者識別子に対応づけて前記繰越データベースに記録し、
前記繰越分収集部は、前記公衆回線網を介して前記第２利用者識別子を前記利用条件保存サーバに配信して前記第２繰越分を前記利用条件保存サーバから収集する
ことを特徴とするエンターテイメント提供装置。
【請求項７】
請求項５において、
前記エンターテイメント端末は、携帯端末から前記利用者識別子を収集し、
前記利用者識別子は、前記携帯端末を識別する情報である
ことを特徴とするエンターテイメント提供装置。
【請求項８】
請求項４において、
前記エンターテイメント端末を介して前記算出量から前記利用量を差し引いた繰越分を携帯端末に配信して前記携帯端末に保存する繰越分保存部と、
前記エンターテイメント端末を介して前記携帯端末から収集繰越分を収集する繰越分収集部とを更に具備し、
前記判別結果は、前記算出量と前記収集繰越分との和より前記利用量が小さいときに、前記権利があることを示す
ことを特徴とするエンターテイメント提供装置。
【請求項９】
請求項１〜請求項８のいずれかにおいて、
前記エンターテイメント端末は、近傍に前記番号を示すタグが配置され、
前記オーダ端末は、前記タグから前記番号を読み取る読取装置を備える
ことを特徴とするエンターテイメント提供装置。
【請求項１０】
請求項９において、
前記タグは、前記番号を表現するバーコードが記載され、
前記読取装置は、前記バーコードから前記番号を読み取るバーコードリーダである
ことを特徴とするエンターテイメント提供装置。
【請求項１１】
請求項９において、
前記タグは、所定の電波に応答して前記番号を示す応答電波を出力するＩＣタグであり、
前記読み取り装置は、前記所定の電波を出力し、前記応答電波から前記テーブル番号を読み取るＩＣタグリーダである
ことを特徴とするエンターテイメント提供装置。
【請求項１２】
請求項１〜請求項１１のいずれかにおいて、
前記判別結果は、前記注文に基づいて算出される代金に基づいて生成される
ことを特徴とするエンターテイメント提供装置。
【請求項１３】
請求項１〜請求項１２のいずれかにおいて、
前記判別結果は、前記注文により依頼される事柄に基づいて生成される
ことを特徴とするエンターテイメント提供装置。
【請求項１４】
請求項１〜請求項１３のいずれかにおいて、
前記判別結果は、前記番号に更に基づいて生成される
ことを特徴とするエンターテイメント提供装置。
【請求項１５】
エンターテイメント提供装置に注文を配信する注文配信部と、
コンテンツを利用する権利があるかないかを前記注文に基づいて判別した判別結果を前記エンターテイメント提供装置から収集する判別結果収集部と、
前記権利がないことを前記判別結果が示すときに前記コンテンツを利用しないで、前記権利があることを前記判別結果が示すときに前記コンテンツを利用するコンテンツ表示部
とを具備するエンターテイメント端末。
【請求項１６】
請求項１５において、
前記判別結果収集部は、更に、当該エンターテイメント端末を識別する番号に対応づけられている注文が入力されるオーダ端末から前記判別結果を収集する
ことを特徴とするエンターテイメント端末。
【請求項１７】
請求項１５において、
前記コンテンツが利用された利用量を前記エンターテイメント提供装置に配信する履歴配信部を更に具備し、
前記判別結果は、前記注文に基づいて算出される算出量より前記利用量が大きいときに、前記権利がないことを示す
ことを特徴とするエンターテイメント端末。
【請求項１８】
請求項１７において、
ユーザの操作により入力される入力利用者識別子を前記エンターテイメント提供装置に配信する繰越分要求部を更に具備し、
前記エンターテイメント提供装置は、利用者識別子に対応づけて繰越分を記録する繰越データベースから前記繰越分のうちの前記入力利用者識別子に対応する対応繰越分を収集し、
前記判別結果は、前記算出量と前記対応繰越分との和より前記利用量が小さいときに、前記権利があることを示す
ことを特徴とするエンターテイメント端末。
【請求項１９】
請求項１８において、
前記繰越分要求部は、携帯端末から前記入力利用者識別子を収集する
ことを特徴とするエンターテイメント端末。
【請求項２０】
請求項１９において、
前記入力利用者識別子は、前記携帯端末を識別する識別情報である
ことを特徴とするエンターテイメント端末。
【請求項２１】
請求項１５〜請求項２０のいずれかにおいて、
前記コンテンツを記録するコンテンツデータベースを更に具備する
前記コンテンツ表示部は、前記コンテンツデータベースを参照して前記コンテンツを利用する
ことを特徴とするエンターテイメント端末。
【請求項２２】
請求項１５〜請求項２０のいずれかにおいて、
前記コンテンツ表示部は、公衆回線網を介してコンテンツサーバから前記コンテンツを収集する
ことを特徴とするエンターテイメント端末。
【請求項２３】
請求項７に記載されるエンターテイメント提供装置に情報を伝送可能に接続される前記携帯端末により実行されるコンピュータプログラムであり、
前記エンターテイメント提供装置から配信される前記繰越分を記録する繰越分記録部と、
前記繰越量をエンターテイメント端末に送信する繰越分支払部とを具備し、
前記繰越分記録部は、前記繰越分支払部により前記繰越分が送信されると、前記繰越分を消去する
コンピュータプログラム。
【請求項２４】
請求項２３において、
ユーザの操作により前記注文を生成して、前記エンターテイメント端末を介して前記注文をエンターテイメント提供装置に送信する注文部を更に具備する
ことを特徴とするコンピュータプログラム。
【請求項２５】
請求項２３または請求項２４のいずれかにおいて、
ユーザの操作により選択された前記コンテンツを前記エンターテイメント端末に送信するコンテンツ選択部を更に具備する
ことを特徴とするコンピュータプログラム。
【発明の詳細な説明】
【０００１】
【発明の属する技術分野】
本発明は、エンターテイメント提供装置及びエンターテイメント端末に関し、特に、コンテンツを閲覧するときに利用されるエンターテイメント提供装置及びエンターテイメント端末に関する。
【０００２】
【従来の技術】
ファミリーレストランで注文から配膳されるまでの待ち時間に、テーブルに配置されたエンターテイメント端末にコンテンツを表示して顧客にエンターテイメントを提供するエンターテイメント提供システムが知られている。その顧客は、そのエンターテイメント端末を操作して、利用したいコンテンツを選択して購入し、そのコンテンツを利用する。その顧客がコンテンツを無制限に利用することを防止するエンターテイメント提供システムが望まれている。
【０００３】
特開２０００−１２３０８８号公報には、メニューを客席の画面に表示し、画面のタッチ操作でオーダできるようにする飲食店サービスシステムが開示されている。
【０００４】
特開２００１−３０６６６６号公報には、レストランなどで料理をオーダーする際に、料理の詳細情報を取得して好みに応じた料理を容易に選択する料理オーダ支援システムが開示されている。
【０００５】
特開２００２−１４０４１２号公報には、レストランなどにおいて品物を、複数の料理が表示されるタッチ画面に触れて入力するか、料理画像に付帯したバーコードや数字などの記号を、入力することにより注文できると共に、配膳されるまでの間に、そのタッチ画面を利用して無料または有料のコンテンツを選択して待機時間を過ごすことができるようにしたオーダリングシステムが開示されている。
【０００６】
特開２００２−１８３５７２号公報には、割引クーポンの発行を売上促進に連動させ待ち時間を有効活用する販売プロモーションシステムが開示されている。
【０００７】
特開平０８−２６３４４４号公報には、料理店のテーブル上などに配置し、料理のオーダーと共に外部情報の収集やゲームの機能を併せ持った気軽に利用できる卓上型情報管理装置が開示されている。
【０００８】
【特許文献１】
特開２０００−１２３０８８号公報
【特許文献２】
特開２００１−３０６６６６号公報
【特許文献３】
特開２００２−１４０４１２号公報
【特許文献４】
特開２００２−１８３５７２号公報
【特許文献５】
特開平０８−２６３４４４号公報
【０００９】
【発明が解決しようとする課題】
本発明の課題は、顧客がコンテンツを無制限に利用することを防止するエンターテイメント提供装置及びエンターテイメント端末を提供することにある。
【００１０】
【課題を解決するための手段】
以下に、［発明の実施の形態］で使用される番号・符号を括弧付きで用いて、課題を解決するための手段を説明する。これらの番号・符号は、［特許請求の範囲］の記載と［発明の実施の形態］の記載との対応を明らかにするために付加されたものであり、［特許請求の範囲］に記載されている発明の技術的範囲の解釈に用いてはならない。
【００１１】
本発明によるエンターテイメント提供装置（１）は、エンターテイメント端末（６）を識別する番号に対応づけられている注文をオーダ端末（５、６）から収集する注文収集部（２２）と、エンターテイメント端末（６）を用いてコンテンツを利用する権利があるかないかを注文に基づいて判別した判別結果をエンターテイメント端末（６）に配信する権利配信部（２５）とを備えている。エンターテイメント端末（６）は、権利があることを判別結果が示すときに、コンテンツを利用可能であり、権利がないことを判別結果が示すときに、コンテンツを利用不可能である。このとき、エンターテイメント提供装置（１）は、ユーザ（１５）がコンテンツを無制限に利用することを制限し、注文をしたユーザ（１５）のみにコンテンツをより確実に提供することができる。
【００１２】
注文は、エンターテイメント端末（６）を用いてコンテンツを利用することの注文を含んでいることが好ましい。
【００１３】
本発明によるエンターテイメント提供装置（１）は、注文に基づいて代金を算出して代金をレジに通知する精算部（２６）を更に備えていることが好ましい。
【００１４】
本発明によるエンターテイメント提供装置（１）は、エンターテイメント端末（６）によりコンテンツが利用された利用量をエンターテイメント端末（６）から収集する履歴収集部（２３）を更に備えている。このとき、判別結果は、注文に基づいて算出される算出量より利用量が大きいときに、権利がないことを示すことが好ましい。
【００１５】
本発明によるエンターテイメント提供装置（１）は、利用者識別子に対応づけて繰越分を記録する繰越データベース（４１）にコンテンツの閲覧者に提供される提供利用者識別子に対応づけて算出量から利用量を差し引いた提供繰越分を記録する繰越分保存部（２７）と、繰越データベース（４１）から繰越分のうちのエンターテイメント端末（６）から収集された収集利用者識別子に対応する収集繰越分を収集する繰越分収集部（２４）とを更に備えている。繰越分保存部（２７）は、利用者識別子に対応づけて繰越分を記録する繰越データベース（４１）にコンテンツの閲覧者に提供される提供利用者識別子に対応づけて算出量から利用量を差し引いた提供繰越分を記録する。繰越分収集部（２４）は、繰越データベース（４１）から繰越分のうちのエンターテイメント端末（６）から収集された収集利用者識別子に対応する収集繰越分を収集する。このとき、判別結果は、算出量と収集繰越分との和より利用量が小さいときに、権利があることを示すことが好ましい。
【００１６】
繰越データベース（４１）は、公衆回線網（４）に接続される利用条件保存サーバ（８）に配置されている。このとき、繰越分保存部（２７）は、公衆回線網（４）を介して第１繰越分と第１利用者識別子とを利用条件保存サーバ（８）に配信して、第１繰越分を第１利用者識別子に対応づけて繰越データベース（４１）に記録する。繰越分収集部（２４）は、公衆回線網（４）を介して第２利用者識別子を利用条件保存サーバ（８）に配信して第２繰越分を利用条件保存サーバ（８）から収集することが好ましい。
【００１７】
エンターテイメント端末（６）は、携帯端末（１４）から利用者識別子を収集することが好ましい。このとき、その利用者識別子は、携帯端末を識別する情報であることが好ましい。
【００１８】
本発明によるエンターテイメント提供装置（１）は、エンターテイメント端末（６）を介して算出量から利用量を差し引いた繰越分を携帯端末（１４）に配信して携帯端末（１４）に保存する繰越分保存部（２）と、エンターテイメント端末（６）を介して携帯端末（１４）から収集繰越分を収集する繰越分収集部（２４）とを更に備えていることが好ましい。その判別結果は、算出量と収集繰越分との和より利用量が小さいときに、権利があることを示している。
【００１９】
エンターテイメント端末（６）は、近傍に番号を示すタグが配置されている。オーダ端末（５）は、そのタグから番号を読み取る読取装置を備えていることが好ましい。
【００２０】
そのタグは、番号を表現するバーコードが記載されている。このとき、その読取装置は、バーコードから番号を読み取るバーコードリーダであることが好ましい。
【００２１】
そのタグは、所定の電波に応答して番号を示す応答電波を出力するＩＣタグである。その読み取り装置は、所定の電波を出力し、応答電波からテーブル番号を読み取るＩＣタグリーダであることが好ましい。
【００２２】
判別結果は、注文に基づいて算出される代金に基づいて生成されることが好ましい。判別結果は、注文により依頼される事柄に基づいて生成されることが好ましい。このとき、所定の事柄を注文したユーザ（１５）にのみ所定のコンテンツを閲覧する権利を与えることができる。判別結果は、番号に更に基づいて生成されることが好ましい。このとき、エンターテイメント端末（６）毎にそれぞれ所定のコンテンツを閲覧する権利を与えることができる。たとえば、所定の場所（トイレ付近、窓際、禁煙席、喫煙席）に配置されたエンターテイメント端末６にそれぞれ所定のコンテンツを利用させることができる。
【００２３】
本発明によるエンターテイメント端末（６）は、注文配信部（５１）と、判別結果収集部（５２）と、コンテンツ表示部（５３）とを備えている。注文配信部（５１）は、エンターテイメント提供装置（１）に注文を配信する。判別結果収集部（５２）は、コンテンツを利用する権利があるかないかを注文に基づいて判別した判別結果をエンターテイメント提供装置（１）から収集する。コンテンツ表示部（５３）は、権利がないことを判別結果が示すときにコンテンツを利用しないで、権利があることを判別結果が示すときにコンテンツを利用する。このとき、エンターテイメント端末（６）は、ユーザ（１５）がコンテンツを無制限に利用することを制限し、注文をしたユーザ（１５）のみにコンテンツをより確実に提供することができる。
【００２４】
判別結果収集部（５２）は、更に、エンターテイメント端末（６）を識別する番号に対応づけられている注文が入力されるオーダ端末（５）から判別結果を収集することが好ましい。
【００２５】
本発明によるエンターテイメント端末（６）は、コンテンツが利用された利用量をエンターテイメント提供装置（１）に配信する履歴配信部（５４）を更に備えている。このとき、判別結果は、注文に基づいて算出される算出量より利用量が大きいときに、権利がないことを示すことが好ましい。
【００２６】
本発明によるエンターテイメント端末（６）は、ユーザ（１５）の操作により入力される入力利用者識別子をエンターテイメント提供装置（１）に配信する繰越分要求部（５５）を更に備えている。すなわち、ユーザ（１５）は、エンターテイメント端末（６）の入力装置に直接に入力利用者識別子を入力し、または、携帯電話機（１４）をエンターテイメント端末（６）にかざすことにより入力利用者識別子を入力する。エンターテイメント提供装置（１）は、利用者識別子に対応づけて繰越分を記録する繰越データベース（４１）から繰越分のうちの入力利用者識別子に対応する対応繰越分を収集する。このとき、判別結果は、算出量と対応繰越分との和より利用量が小さいときに、権利があることを示すことが好ましい。
【００２７】
繰越分要求部（５５）は、携帯端末（１４）から入力利用者識別子を収集することが好ましい。このとき、入力利用者識別子は、携帯端末を識別する識別情報であることが好ましい。
【００２８】
本発明によるエンターテイメント端末（６）は、コンテンツを記録するコンテンツデータベースを更に備えていることが好ましい。このとき、コンテンツ表示部（５３）は、そのコンテンツデータベースを参照してコンテンツを利用する。
【００２９】
コンテンツ表示部（５３）は、公衆回線網（４）を介してコンテンツサーバ（９）からコンテンツを収集することが好ましい。
【００３０】
本発明によるコンピュータプログラムは、本発明によるエンターテイメント端末（６）に情報を伝送可能に接続される携帯端末（１４）により実行される。本発明によるコンピュータプログラムは、エンターテイメント端末（６）から配信される繰越分を記録する繰越分記録部（６３）と、その繰越分をエンターテイメント端末（６）に送信する繰越分支払部（６４）とを備えている。繰越分記録部（６３）は、繰越分支払部（６４）により繰越分が送信されると、その繰越分を消去することが好ましい。
【００３１】
本発明によるコンピュータプログラムは、ユーザ（１５）の操作により注文を生成して、エンターテイメント端末（６）を介してその注文をエンターテイメント提供装置（１）に送信する注文部（６１）を更に備えていることが好ましい。本発明によるコンピュータプログラムは、ユーザ（１５）の操作により選択されたコンテンツをエンターテイメント端末（６）に送信するコンテンツ選択部（６２）を更に備えていることが好ましい。
【００３２】
【発明の実施の形態】
図面を参照して、本発明によるエンターテイメント提供装置の実施の形態を説明する。そのエンターテイメント提供装置１は、図１に示されているように、エンターテイメント提供システム２に適用されている。エンターテイメント提供システム２は、複数の回線網を介して複数の情報処理装置（コンピュータ）が互いに双方向に情報を伝送することができるように接続されている。その複数の回線網は、ＬＡＮ３とインターネット４とから形成されている。ＬＡＮ３は、インターネット４に接続されている。
【００３３】
その複数の情報処理装置は、エンターテイメント提供装置１とオーダ端末５とエンターテイメント端末６とレジ７と利用条件保存サーバ８とコンテンツサーバ９とから形成されている。エンターテイメント提供装置１は、ＬＡＮ３に接続されている。オーダ端末５は、ＬＡＮ３に接続されている。エンターテイメント端末６は、ＬＡＮ３に接続されている。レジ７は、ＬＡＮ３に接続されている。利用条件保存サーバ８は、インターネット４に接続されている。コンテンツサーバ９は、インターネット４に接続されている。
【００３４】
エンターテイメント提供装置１は、ワークステーションに例示される情報処理装置であり、レストラン１１に配置されている。レストラン１１は、来店する顧客に料理を提供する。オーダ端末５は、レストラン１１で働く店員１２により携帯されて使用される。オーダ端末５は、図示されていないバーコードリーダまたはＩＣタグリーダを備えている。バーコードリーダは、バーコードに示されている情報を読み取る。ＩＣタグリーダは、所定の電波を出力して、ＩＣタグからその電波に応答して出力される電波に示される情報を読み取る。エンターテイメント端末６は、レストラン１１に配置される複数のテーブル１３毎に複数が配置され、テーブル１３に着く顧客により操作される。エンターテイメント端末６は、図示されていない表示装置を備えている。エンターテイメント端末６は、さらに、赤外線を介してオーダ端末５と双方向に情報を伝送することができるように接続されている。テーブル１３には、各々を識別するテーブル番号が割り当てられ、テーブル番号を示すバーコードが記載されているシールまたは所定の電波に応答してテーブル番号を示す電波を出力するＩＣタグが貼付されている。レジ７は、レストラン１１に配置され、店員１２により使用されて料理などの代金の精算に用いられる。レジ７は、エンターテイメント提供装置１と同一の情報処理装置で構成することもできる。このようなレストラン１１は、エンターテイメント提供システム２に複数が設けられている。
【００３５】
利用条件保存サーバ８は、ワークステーションに例示される情報処理装置であり、繰越データベースを備えている。利用条件保存サーバ８は、エンターテイメント提供装置１から配信された情報をその繰越データベースに記録し、要求された情報をエンターテイメント提供装置１に配信する。コンテンツサーバ９は、ワークステーションに例示される情報処理装置であり、インターネット２に接続されている情報処理装置にコンテンツを公開している。なお、コンテンツサーバ９は、エンターテイメント提供装置１と同一の情報処理装置で構成することもできる。
【００３６】
エンターテイメント提供システム２は、さらに、ケータイ１４を備えている。ケータイ１４は、携帯電話機に例示される情報処理装置である。ケータイ１４は、赤外線を介してエンターテイメント端末６と双方向に情報を伝送することができるように接続され、赤外線を介してレジ７と双方向に情報を伝送することができるように接続されている。ケータイ１４は、レストラン１１に来店して食事する顧客１５により携帯されて使用される。
【００３７】
図２は、エンターテイメント提供装置１を詳細に示している。エンターテイメント提供装置１は、コンピュータプログラムである注文データベース２１と注文収集部２２と履歴収集部２３と繰越分収集部２４と権利配信部２５と精算部２６と繰越分保存部２７とを備えている。
【００３８】
注文データベース２１は、テーブル１３に着いた顧客１５に関する情報を記録している。注文収集部２２は、ＬＡＮ３を介して顧客１５により注文された内容をオーダ端末５またはエンターテイメント端末６から収集して注文データベース２１に記録する。履歴収集部２３は、ＬＡＮ３を介してエンターテイメント端末６にコンテンツが表示された表示量を収集する。その表示量は、表示されたコンテンツの個数、時間または料金を示している。繰越分収集部２４は、エンターテイメント端末６から収集された利用者識別子を利用条件保存サーバ８にインターネット４を介して送信して、エンターテイメント端末６がコンテンツを表示可能な量を示す繰越分を利用条件保存サーバ８から収集して注文データベース２１に記録する。
【００３９】
権利配信部２５は、エンターテイメント端末６からコンテンツの表示が要求されたときに、注文データベース２１を参照してエンターテイメント端末６がそのコンテンツを利用する権利を持っているかどうかを判別し、その判別結果をエンターテイメント端末６に配信する。たとえば、未だ注文されていないテーブル１３のエンターテイメント端末６は、コンテンツを１０分だけ閲覧することができ、注文されたテーブル１３のエンターテイメント端末６は、コンテンツをさらに１０分だけ閲覧することができる権利を与えられる。
【００４０】
権利配信部２５は、さらに、要求されたコンテンツとテーブル番号とに基づいて、その権利を持っているかどうかを判別することができる。このとき、そのコンテンツの利用は、エンターテイメント端末６が配置されている位置に基づいて制限されることができる。たとえば、トイレ付近、窓際、禁煙席、喫煙席に配置されたエンターテイメント端末６にそれぞれ所定のコンテンツを利用させることができる。
【００４１】
権利配信部２５は、さらに、要求されたコンテンツが注文された時刻に基づいて、その権利を持っているかどうかを判別することができる。このとき、そのコンテンツの利用は、レストラン１１の状況に基づいて制限されることができる。たとえば、レストラン１１が混雑する時間帯とそれ以外の時間帯でエンターテイメント端末６にそれぞれ所定のコンテンツを利用させることができる。
【００４２】
権利配信部２５は、さらに、注文データベース２１を参照してエンターテイメント端末６がコンテンツを表示可能な算出量を算出する。その判別結果は、その権利を持っていることを示すときに、さらに、その算出量を示している。その算出量は、コンテンツを閲覧することができる個数、時間または料金を示し、顧客１５が注文した料理の量が増加すると、増加する。その料理の量は、料理にそれぞれポイントが割り当てられているときに、注文された料理のポイントの合計である。なお、権利配信部２５は、特定の料理を注文したテーブル１３のエンターテイメント端末６に、特定のコンテンツを閲覧する権利を与えることもできる。
【００４３】
精算部２６は、顧客１５がレストラン１１での食事を終えたときに、レジ７からその顧客１５が着いていたテーブル１３のテーブル番号を収集して、注文データベース２１を参照して代金を算出してレジ７に通知する。
【００４４】
繰越分保存部２７は、エンターテイメント端末６がコンテンツをさらに表示する権利を持っている場合で、顧客１５が精算するときに、エンターテイメント端末６がコンテンツを表示可能な量を示す繰越分を利用条件保存サーバ８に配信して繰越データベースに記録させ、その繰越分に対応付けられる利用者識別子を利用条件保存サーバ８から収集してレジ７に配信する。繰越分保存部２７は、または、エンターテイメント端末６がコンテンツをさらに表示する権利を持っている場合で、顧客１５が精算するときに、利用者識別子をレジ７から収集して、エンターテイメント端末６がコンテンツを表示可能な量を示す繰越分をその利用者識別子に対応付けて利用条件保存サーバ８に配信して繰越データベースに記録させる。
【００４５】
コンテンツサーバ９は、コンテンツを条件に対応づけて記録し、そのコンテンツをエンターテイメント端末６に公開している。その条件は、レストラン１１の混雑状況、エンターテイメント端末６が配置されるテーブル１３またはコンテンツが利用される時間帯とを示している。
【００４６】
図３は、注文データベース２１を示している。注文データベース２１は、テーブル番号３１に対応づけて、エンターテイメント端末６がコンテンツをさらに表示する権利に関する情報を記録している。テーブル番号３１は、テーブル１３を識別する情報である。その権利に関する情報は、注文情報３２と閲覧履歴情報３３と繰り越された分３４とから形成されている。注文情報３２は、注文収集部２２により収集された情報であり、顧客１５が注文した料理、または、エンターテイメント端末６にコンテンツを表示させる権利を示している。閲覧履歴情報３３は、履歴収集部２３により収集された情報であり、エンターテイメント端末６にコンテンツが表示された表示量を示している。繰り越された分３４は、繰越分収集部２４により収集された情報であり、エンターテイメント端末６がコンテンツを表示する権利の繰越分を示している。その繰越分は、コンテンツを閲覧することができる回数、時間を示している。
【００４７】
図４は、利用条件保存サーバ８が備える繰越データベースを示している。その繰越データベース４１は、利用者識別子４２に対応づけて繰越分４３を記録している。利用者識別子４２は、繰越分保存部２７により配信された繰越分を識別するために生成された情報であり、または、繰越分保存部２７により繰越分に対応付けられて配信された情報である。利用者識別子４２としては、製造番号、電話番号、電子メールアドレスに例示されるケータイ１４を識別しまたは特定する識別情報を用いることもできる。繰越分４３は、エンターテイメント端末６がコンテンツを表示することができる量（回数、時間）を示している。
【００４８】
図５は、エンターテイメント端末６を詳細に示している。エンターテイメント端末６は、コンピュータプログラムである注文配信部５１と判別結果収集部５２とコンテンツ表示部５３と履歴配信部５４と繰越分要求部５５とを備えている。
【００４９】
注文配信部５１は、レストラン１１で食べたい料理がエンターテイメント端末６に入力されることに応答して、ＬＡＮ３を介して顧客１５がその料理の注文をテーブル番号に対応づけてエンターテイメント提供装置１に配信する。エンターテイメント端末６は、顧客１５の操作により、または、ケータイ１４から赤外線を介してその注文を収集する。
【００５０】
判別結果収集部５２は、コンテンツサーバ９からエンターテイメント端末６が表示可能であるコンテンツのリストを収集して表示し、顧客１５の操作に応答してそのコンテンツから顧客１５がエンターテイメント提供装置６を用いて閲覧したい１つのコンテンツを選択する。判別結果収集部５２は、さらに、ＬＡＮ３を介してその閲覧したいコンテンツのＩＤをエンターテイメント提供装置１に配信して、エンターテイメント端末６がコンテンツを表示する権利を持っているかもっていないかを示す判別結果をエンターテイメント提供装置６から収集する。
【００５１】
コンテンツ表示部５３は、その判別結果がその権利を持っていることを示しているときに、そのコンテンツをコンテンツサーバ９からダウンロードして表示する。コンテンツ表示部５３は、そのコンテンツが音声（音楽）を示しているときに、その音声を再生する。コンテンツ表示部５３は、さらに、その判別結果がその権利を持っていないことを示しているときに、そのコンテンツを表示することができない旨を表示する。
【００５２】
履歴配信部５４は、コンテンツ表示部５３がコンテンツを表示した表示量をエンターテイメント提供装置１に配信する。繰越分要求部５５は、顧客１５によりエンターテイメント端末６に入力された利用者識別子をエンターテイメント提供装置１に配信する。顧客１５は、エンターテイメント端末６の入力装置に直接に利用者識別子を入力し、または、ケータイ１４を操作して利用者識別子を示す赤外線を出力して利用者識別子を入力する。
【００５３】
エンターテイメント端末６は、さらに、コンテンツデータベースを備えることもできる。そのコンテンツデータベースは、エンターテイメント端末６で利用されるコンテンツを記録している。このとき、判別結果収集部５２は、そのコンテンツデータベースを参照して、表示可能であるコンテンツのリストを表示し、コンテンツ表示部５３は、そのコンテンツデータベースを参照して、そのコンテンツを利用する。このため、エンターテイメント提供システム２は、コンテンツサーバ９を備える必要が無くなり、ＬＡＮ３の通信量を低減することができる。そのコンテンツは、エンターテイメント端末６が配置されているテーブル１３毎に違えることもできる。たとえば、そのコンテンツデータベースは、テーブル１３が禁煙席、喫煙席、窓際、トイレ付近であるときに、そのテーブル１３に適した特別なコンテンツを記録している。
【００５４】
エンターテイメント端末６は、さらに、繰り越された分を示す赤外線を出力するコンピュータプログラムを備えている。すなわち、エンターテイメント端末６は、ケータイ１４から出力される赤外線に応答して、エンターテイメント提供装置１の注文データベース２１からテーブル番号に対応する繰り越された分を収集し、その繰り越された分を示す赤外線をケータイ１４に出力し、注文データベース２１からその繰り越された分を消去する。
【００５５】
図６は、ケータイ１４を詳細に示している。ケータイ１４は、コンピュータプログラムである注文部６１、コンテンツ選択部６２、繰越分記録部６３および繰越分支払部６４を備えている。注文部６１は、顧客１５によりケータイ１４に入力された注文を示す赤外線を出力する。コンテンツ選択部６２は、顧客１５によりケータイ１４に入力されたコンテンツのＩＤを示す赤外線を出力する。繰越分記録部６３は、顧客１５の操作に応答して繰り越された分を要求する赤外線を出力し、エンターテイメント端末６またはレジ７から出力される赤外線により示される繰越分を記録する。繰越分支払部６４は、顧客１５の操作に応答して繰越分記録部６３に記録されている繰越分を示す赤外線を出力する。繰越分記録部６３は、繰越分支払部６４により繰越分を示す赤外線が出力されるときに、その繰越分を消去する。
【００５６】
エンターテイメント提供システム２の動作の実施の形態は、注文を受ける動作と、エンターテイメント端末６にコンテンツの表示を許可する動作と、精算する動作と、エンターテイメント端末６を用いて繰越分を保存する動作とを備えている。
【００５７】
図７は、注文を受ける動作を示している。顧客１５は、レストラン１１で食事がしたいときに、まず、レストラン１１に出向き店員１２の誘導によりテーブル１３に着く。店員１２は、顧客１５にメニューを渡して顧客１５から注文を聞き出し、その注文をテーブル番号とともにオーダ端末５に入力する（ステップＳ１）。このとき、店員１２は、テーブル１３のバーコードまたはＩＣタグにオーダ端末５をかざしてテーブル番号を入力する。オーダ端末５は、その注文をエンターテイメント提供装置１に送信する（ステップＳ２）。エンターテイメント提供装置１は、その注文をテーブル番号に対応付けて記録する（ステップＳ３）。
【００５８】
この動作では、オーダ端末５をエンターテイメント端末６に置換することもできる。すなわち、顧客１５は、レストラン１１で食事がしたいときに、まず、レストラン１１に出向き店員１２の誘導によりテーブル１３に着く。顧客１５は、エンターテイメント端末６を操作して、注文する料理を入力する（ステップＳ１）。または、顧客１５は、ケータイ１４を操作して、エンターテイメント端末６に注文する料理を入力する。エンターテイメント端末６は、その注文をエンターテイメント提供装置１に送信する（ステップＳ２）。エンターテイメント提供装置１は、その注文をテーブル番号に対応付けて記録する（ステップＳ３）。このとき、レストラン１１は、注文を受け付ける店員１２が不要であり、人件費を削減することができる。
【００５９】
図８は、エンターテイメント端末６にコンテンツの表示を許可する動作を示している。エンターテイメント端末６は、まず、コンテンツサーバ９から表示可能であるコンテンツのリストを収集して、そのリストを表示する。たとえば、そのリストは、レストラン１１が混雑しているかどうか、時間帯、テーブル１３の位置により異なっている。顧客１５がエンターテイメント端末６を操作してそのリストからコンテンツを選択すると（ステップＳ１１）、エンターテイメント端末６は、そのコンテンツのＩＤをエンターテイメント提供装置１に配信する（ステップＳ１２）。エンターテイメント提供装置１は、そのＩＤを受信すると、注文データベース１１を参照して、エンターテイメント端末６がそのコンテンツを表示する権利があるかないかを判別する（ステップＳ１３）。すなわち、エンターテイメント提供装置１は、注文に基づいて算出される量と繰越分との和がエンターテイメント端末６により表示されたコンテンツの表示量より大きいときにその権利がないと判別し、その和がその表示量より小さいときにその権利があると判別する。エンターテイメント提供装置１は、その判別結果をエンターテイメント端末６に配信する（ステップＳ１４）。
【００６０】
顧客１５は、その権利がないと判別されたときに（ステップＳ１５；ＮＧ）、その権利を購入することをエンターテイメント端末６に入力し、または、以前にレストラン１１で取得した利用者識別子をエンターテイメント端末６に入力する（ステップＳ１６）。なお、顧客１５は、ケータイ１４にその情報を入力して、赤外線を介してケータイ１４からエンターテイメント端末６にその情報を送信して入力することもできる。エンターテイメント提供装置６は、その権利の注文または利用者識別子をエンターテイメント提供装置１に送信する（ステップＳ１７）。
【００６１】
エンターテイメント提供装置１は、エンターテイメント端末６から利用者識別子を受信したときに（ステップＳ１８；ＹＥＳ）、その利用者識別子を利用条件保存サーバ８に送信する（ステップＳ１９）。利用条件保存サーバ８は、繰越データベース４１を参照してその利用者識別子に対応する繰越分を抽出してエンターテイメント提供装置１に送信し（ステップＳ２１）、その利用者識別子に対応する繰越分を繰越データベース４１から削除する（ステップＳ２０）。エンターテイメント提供装置１は、その繰越分を注文データベース２１に記録する（ステップＳ２２）。エンターテイメント提供装置１は、エンターテイメント端末６から権利の注文を受信したときに（ステップＳ１８；ＮＯ）、その注文を注文データベース２１に記録する（ステップＳ２２）。
【００６２】
エンターテイメント端末６は、その権利があると判別されたときに（ステップＳ１５；ＯＫ）、その権利を注文したときに、または、入力された利用者識別子に対応する繰越分が存在するときに、コンテンツを表示して（ステップＳ２３）、コンテンツを表示した履歴をエンターテイメント提供装置１に通知する（ステップＳ２４）。エンターテイメント提供装置１は、その履歴を注文データベース２１に記録する（ステップＳ２５）。
【００６３】
エンターテイメント端末６は、その権利がないと判別された場合で（ステップＳ１５；ＮＧ）、その権利を注文しないときに、または、入力された利用者識別子に対応する繰越分が存在しないときに、コンテンツを表示しないでこの動作を終了する。
【００６４】
このような動作によれば、顧客１５は、エンターテイメント端末６を用いて、無制限にコンテンツの閲覧をすることができなくなる。顧客１５は、さらにコンテンツを閲覧したいときに、さらに料理を注文するか、コンテンツの閲覧を注文するか、繰越分を用いる操作をするかしなければならない。
【００６５】
図９は、精算する動作を示している。顧客１５は、食事とコンテンツの閲覧とが終了すると、レジ７に向かう。店員１２は、その顧客１５が着いていたテーブル１３のテーブル番号をレジ７に入力する（ステップＳ３１）。レジ７は、そのテーブル番号をエンターテイメント提供装置１に送信する（ステップＳ３２）。エンターテイメント提供装置１は、注文データベース２１を参照して、そのテーブル番号に対応する注文、コンテンツが表示された表示量、繰越分に基づいて代金を算出する（ステップＳ３３）。すなわち、その代金は、注文された料理の代金と、エンターテイメント端末６にコンテンツを表示する権利の代金との和である。エンターテイメント提供装置１は、その代金をレジ７に通知する（ステップＳ３４）。店員１２は、レジ７を用いてその代金を精算する（ステップＳ３５）。
【００６６】
レジ７は、エンターテイメント端末６がコンテンツを表示する権利があまっている場合で、顧客１５がその余った繰越分を再度利用したいと申し出たときに（ステップＳ３６；ＹＥＳ）、エンターテイメント提供装置１を介してその繰越分を利用条件保存サーバ８に送信する（ステップＳ３７）。利用条件保存サーバ８は、その繰越分に利用者識別子を割り当てて繰越データベース４１に記録し（ステップＳ３８）、その利用者識別子をレジ７に返信する（ステップＳ３９）。レジ７は、その利用者識別子をケータイ１４に送信する（ステップＳ４０）。店員１２は、顧客１５がケータイ１４を持っていないときに、その利用者識別子が記載されたメンバーズカードを顧客１５に手渡す。
【００６７】
なお、利用者識別子としてケータイ１４を識別する識別情報を用いているときに、ステップＳ３７〜Ｓ４０は、実行されない。この場合で、顧客１５がその余った繰越分を再度利用したいと申し出たときに、レジ７は、ケータイ１４から赤外線を介してその利用者識別子を収集する。レジ７は、その利用者識別子を繰越分とともに利用条件保存サーバ８に送信する。利用条件保存サーバ８は、その利用者識別子に対応する繰越分に受信した繰越分を加算して繰越データベース４１に記録する。利用条件保存サーバ８は、その利用者識別子を記録していないときに、その繰越分をその利用者識別子に対応づけて新規に記録する。
【００６８】
エンターテイメント端末６を用いて繰越分を保存する動作では、顧客１５が、まず、エンターテイメント端末６の入力装置を直接に操作して利用者識別子を入力して繰越分の保存を要求する。または、顧客１５は、ケータイ１４を用いて繰越分の保存を要求する赤外線をエンターテイメント端末６に出力する。その赤外線は、顧客１５に既に与えられている利用者識別子をさらに示している。エンターテイメント端末６は、その利用者識別子の入力に応答して、エンターテイメント提供装置１にその利用者識別子を送信して、エンターテイメント端末６がコンテンツを表示する権利の繰越分の保存を要求する。エンターテイメント提供装置１は、その要求に応答して、その繰越分を利用者識別子とともに利用条件保存サーバ８に送信する。利用条件保存サーバ８は、その利用者識別子に対応する繰越分に受信した繰越分を加算して繰越データベース４１に記録する。
【００６９】
顧客１５は、利用者識別子を取得したときに、次回にレストラン１１に来店したときに、その利用者識別子を用いてコンテンツを閲覧することができる。レストラン１１は、顧客１５が再度来店してくれることを期待することができる。利用条件保存サーバ８がレストラン１１の外部に存在することから、顧客１５は、利用条件保存サーバ８が他のレストランにより利用されるときに、その利用者識別子をそのレストランで利用することができる。
【００７０】
なお、エンターテイメント端末６は、コンテンツを表示する権利があるかないかを示す判別結果をオーダ端末５から取得することもできる。このとき、オーダ端末５は、顧客１５から聞き出された注文が入力されると、赤外線を介してコンテンツを表示する権利があることを示す判別結果をエンターテイメント端末６に出力する。エンターテイメント端末６は、その赤外線に応答して、コンテンツを閲覧する権利を取得したことを表示する。エンターテイメント端末６は、さらに、その判別結果に示される量だけコンテンツを表示することができる。このとき、顧客１２は、注文によりコンテンツが閲覧可能になることがよく分かり、好ましい。
【００７１】
エンターテイメント提供システム２は、利用条件保存サーバ８を適用しないで実現することもできる。このとき、エンターテイメント提供装置１の繰越分収集部２４は、エンターテイメント端末６を介してケータイ１４から収集された繰越分を収集し、その繰越分を収集して注文データベース２１に記録する。繰越分保存部２７は、エンターテイメント端末６がコンテンツをさらに表示する権利を持っているときに、エンターテイメント端末６を介してケータイ１４が出力する要求に応答してエンターテイメント端末６を介してケータイにその権利の繰越分を配信する。ケータイ１４は、その繰越分を受信視すると、その繰越分を記録する。このとき、エンターテイメント提供システム２の動作は、エンターテイメント端末６にコンテンツの表示を許可する動作と、精算する動作とが既述の実施の形態と異なり、繰越分をエンターテイメント端末６からケータイ１４に記録する動作が追加されている。
【００７２】
エンターテイメント端末６にコンテンツの表示を許可する動作の実施の他の形態では、エンターテイメント端末６が、まず、コンテンツサーバ９から表示可能であるコンテンツのリストを収集して、そのリストを表示する。顧客１５がエンターテイメント端末６を操作してそのリストからコンテンツを選択すると、エンターテイメント端末６は、そのコンテンツのＩＤをエンターテイメント提供装置１に配信する。エンターテイメント提供装置１は、そのＩＤを受信すると、注文データベース１１を参照して、エンターテイメント端末６がそのコンテンツを表示する権利があるかないかを判別する。すなわち、エンターテイメント提供装置１は、注文に基づいて算出される量と繰越分との和がエンターテイメント端末６により表示されたコンテンツの表示量より大きいときにその権利がないと判別し、その和がその表示量より小さいときにその権利があると判別する。エンターテイメント提供装置１は、その判別結果をエンターテイメント端末６に配信する。
【００７３】
顧客１５は、その権利がないと判別されたときに、その権利を購入することをエンターテイメント端末６に入力し、または、ケータイ１４を操作して赤外線を介して記録されている繰越分をエンターテイメント端末６に入力する。エンターテイメント提供装置６は、その権利の注文またはその繰越分をエンターテイメント提供装置１に送信する。
【００７４】
エンターテイメント提供装置１は、エンターテイメント端末６から権利の注文を受信したときに、その注文を注文データベース２１に記録する。エンターテイメント提供装置１は、エンターテイメント端末６から繰越分を受信したときに、その繰越分を繰り越された分として注文データベース２１に記録する。
【００７５】
エンターテイメント端末６は、その権利があると判別されたときに、その権利を注文したときに、または、ケータイ１４から繰越分が入力されたときに、コンテンツを表示して、コンテンツを表示した履歴をエンターテイメント提供装置１に通知する。エンターテイメント提供装置１は、その履歴を注文データベース２１に記録する。エンターテイメント端末６は、その権利がないと判別された場合で、その権利を注文しないときに、または、ケータイ１４から繰越分が入力されないときに、コンテンツを表示しないでこの動作を終了する。
【００７６】
精算する動作の実施の他の形態では、顧客１５が、食事とコンテンツの閲覧とが終了すると、まず、レジ７に向かう。店員１２は、その顧客１５が着いていたテーブル１３のテーブル番号をレジ７に入力する。レジ７は、そのテーブル番号をエンターテイメント提供装置１に送信する。エンターテイメント提供装置１は、注文データベース２１を参照して、そのテーブル番号に対応する注文、コンテンツが表示された表示量、繰越分に基づいて代金を算出し、その代金をレジ７に通知する。店員１２は、レジ７を用いてその代金を精算する。
【００７７】
レジ７は、エンターテイメント端末６がコンテンツを表示する権利が余っている場合で、顧客１５がその余った繰越分を再度利用したいと申し出たときに、エンターテイメント提供装置１からその繰越分を収集して、その繰越分を示す赤外線を出力する。ケータイ１４は、その赤外線を受信して、その繰越分を記録する。
【００７８】
繰越分をエンターテイメント端末６からケータイ１４に記録する動作では、顧客１５が、まず、ケータイ１４を用いて繰越分の保存を要求する赤外線をエンターテイメント端末６に出力する。エンターテイメント端末６は、その要求に応答して、エンターテイメント提供装置１にそのテーブル番号を送信する。エンターテイメント提供装置１は、そのテーブル番号に対応するコンテンツを表示する権利の繰越分をエンターテイメント端末６に返信する。エンターテイメント端末６は、その繰越分を示す赤外線をケータイ１４に出力する。ケータイ１４は、その赤外線を受信して、その繰越分を記録する。
【００７９】
顧客１５は、利用者識別子を取得したときに、次回にレストラン１１に来店したときに、その繰越分を用いてコンテンツを閲覧することができる。顧客１５は、さらに、レストラン１１と異なる他のレストランでその繰越分を利用することもできる。
【００８０】
【発明の効果】
本発明によるエンターテイメント提供装置及びエンターテイメント端末によれば、顧客がコンテンツを無制限に利用すること防止することができる。
【図面の簡単な説明】
【図１】図１は、エンターテイメント提供システムの実施の形態を示すブロック図である。
【図２】図２は、本発明によるエンターテイメント提供装置の実施の形態を示すブロック図である。
【図３】図３は、繰越データベースを示すブロック図である。
【図４】図４は、繰越データベースを示すブロック図である。
【図５】図５は、エンターテイメント端末を示すブロック図である。
【図６】図６は、ケータイを示すブロック図である。
【図７】図７は、動作の実施の形態を示すフローチャートである。
【図８】図８は、動作の実施の形態を示すフローチャートである。
【図９】図９は、動作の実施の形態を示すフローチャートである。
【符号の説明】
１  ：エンターテイメント提供装置
２  ：エンターテイメント提供システム
３  ：ＬＡＮ
４  ：インターネット
５  ：オーダ端末
６  ：エンターテイメント端末
７  ：レジ
８  ：利用条件保存サーバ
９  ：コンテンツサーバ
１１：レストラン
１２：店員
１３：テーブル
１４：ケータイ
１５：顧客
２１：注文データベース
２２：注文収集部
２３：履歴収集部
２４：繰越分収集部
２５：権利配信部
２６：精算部
２７：繰越分保存部
３１：テーブル番号
３２：注文情報
３３：閲覧履歴情報
３４：繰り越された分
４１：繰越データベース
４２：利用者識別子
４３：繰越分
５１：注文配信部
５２：判別結果収集部
５３：コンテンツ表示部
５４：履歴配信部
５５：繰越分要求部
６１：注文部
６２：コンテンツ選択部
６３：繰越分記録部
６４：繰越分支払部
【図１】
2004287597.tif 000003
【図２】
2004287597.tif 000004
【図３】
2004287597.tif 000005
【図４】
2004287597.tif 000006
【図５】
2004287597.tif 000007
【図６】
2004287597.tif 000008
【図７】
2004287597.tif 000009
【図８】
2004287597.tif 000010
【図９】
2004287597.tif 000011